(57)【要約】  空気−亜鉛電池アセンブリーが開示される。本発明の一具現例は、陽刻または陰刻された第１Ａ結合部を含む第１空気−亜鉛電池モジュールと、前記第１Ａ結合部と噛み合って締結可能であるように陽刻または陰刻された第１Ｂ結合部、および陽刻または陰刻された第２Ａ結合部を含み、一つ以上で構成された第２空気−亜鉛電池モジュールと、および前記第２Ａ結合部と噛み合って締結可能であるように陽刻または陰刻された第２Ｂ結合部を含む電力引き出しモジュールと、を含む、空気−亜鉛電池アセンブリーを含む。
2018534736.tif 000002
【特許請求の範囲】
【請求項１】
一面に陽刻または陰刻された第１Ａ結合部が形成される第１空気−亜鉛電池モジュールと、
一面には前記第１Ａ結合部と噛み合って締結可能であるように陽刻または陰刻された第１Ｂ結合部が形成され、他面には陽刻または陰刻された第２Ａ結合部が形成された一つ以上の第２空気−亜鉛電池モジュールと、および
一面に前記第２Ａ結合部と噛み合って締結可能であるように陽刻または陰刻された第２Ｂ結合部が形成される電力引き出しモジュールと、を含む、空気−亜鉛電池アセンブリー。
【請求項２】
前記第１Ａ結合部と第２Ａ結合部は同一形状であり、
前記第１Ｂ結合部と第２Ｂ結合部は同一形状であり、
前記第１Ａ結合部、第１Ｂ結合部、第２Ａ結合部、および第２Ｂ結合部のそれぞれは、前記第１空気−亜鉛電池モジュール、前記第２空気−亜鉛電池モジュール、および前記電力引き出しモジュールの外部面から離隔するほど幅が次第に減少するように形成される、請求項１に記載の空気−亜鉛電池アセンブリー。
【請求項３】
前記第１Ａ結合部の一領域には前記第１空気−亜鉛電池モジュールで発生した電気エネルギーを送出する第１雌スイッチングコネクターが形成され、
前記第１Ｂ結合部の一領域には前記第１雌スイッチングコネクターと接続する第１雄スイッチングコネクターが形成され、
前記第２Ａ結合部の一領域には前記第１空気−亜鉛電池モジュールおよび第２空気−亜鉛電池モジュールで発生した電気エネルギーを送出する第２雌スイッチングコネクターが形成され、
前記第２Ｂ結合部の一領域には前記第２雌スイッチングコネクターと接続する第２雄スイッチングコネクターが形成された、請求項１に記載の空気−亜鉛電池アセンブリー。
【請求項４】
前記第１空気−亜鉛電池モジュールは、
内部に収容空間が形成され、一面に第１Ａ結合部が形成された第１ケースと、
前記第１ケースの内部収容空間に設置されるものの、複数個の空気−亜鉛電池セルが連結および積層されて形成される電池ユニットが複数個連結されて形成される第１電池ユニット群と。
前記第１ケースの内部収容空間に設置されて空気の流動を誘導する第１ファン（ｆａｎ）と、および
前記第１電池ユニット群および前記第１ファンと電気的に連結される第１雌スイッチングコネクターと、を含む、請求項３に記載の空気−亜鉛電池アセンブリー。
【請求項５】
前記第１雌スイッチングコネクターは２個の（＋）極端子および１個の（−）極端子を含み、
前記第１雌スイッチングコネクターの（＋）極端子のうちいずれか一つは前記第１電池ユニット群の（＋）極と連結され、
前記第１雌スイッチングコネクターの（＋）極端子のうち他の一つは前記第１ファン（ｆａｎ）の（＋）極端子と連結され、
前記第１雌スイッチングコネクターの（−）極端子は前記第１電池ユニット群の（−）極および前記第１ファン（ｆａｎ）の（−）極端子と連結される、請求項４に記載の空気−亜鉛電池アセンブリー。
【請求項６】
前記第１雌スイッチングコネクターの（−）極端子は前記第１電池ユニット群の（−）極と電気配線によって連結され、
前記第１雌スイッチングコネクターの（−）極端子と前記第１電池ユニット群の（−）極を連結する電気配線は前記第１ファン（ｆａｎ）の（−）極端子と小枝の形態で連結される、請求項５に記載の空気−亜鉛電池アセンブリー。
【請求項７】
前記第２空気−亜鉛電池モジュールは、
内部に収容空間が形成され、一面には前記第１Ｂ結合部が形成され、他面には前記第２Ａ結合部が形成された第２ケースと、
前記第２ケースの内部収容空間に設置されるものの、複数個の空気−亜鉛電池セルが連結および積層されて形成される電池ユニットが複数個連結されて形成される第２電池ユニット群と、
前記第２ケースの内部収容空間に設置されて空気の流動を誘導する第２ファン（ｆａｎ）と、
前記第１Ａ結合部と前記第１Ｂ結合部とが締結する時、前記第１雌スイッチングコネクターと接続する第１雄スイッチングコネクターと、および
前記第２電池ユニット群および前記第２ファンと電気的に連結される第２雌スイッチングコネクターと、を含む、請求項５に記載の空気−亜鉛電池アセンブリー。
【請求項８】
前記第１雄スイッチングコネクターは前記第１雌スイッチングコネクターの端子と接続されるように２個の（＋）極端子および１個の（−）極端子を含むものの、
前記第１雄スイッチングコネクターの２個の（＋）極端子は互いに電気的に連結され、
前記第１雄スイッチングコネクターの（＋）極端子のうち前記第１ファン（ｆａｎ）の（＋）極端子と連結されている第１雌スイッチングコネクターの（＋）極端子と連結されない（＋）極端子は前記第２電池ユニット群の（＋）極と連結され、
前記第１雄スイッチングコネクターの（−）極端子は前記第２電池ユニット群の（−）極および前記第２ファン（ｆａｎ）の（−）極端子と連結される、請求項７に記載の空気−亜鉛電池アセンブリー。
【請求項９】
前記第２雌スイッチングコネクターは２個の（＋）極端子および１個の（−）極端子を含み、
前記第２雌スイッチングコネクターの（＋）極端子のうちいずれか一つは前記第２電池ユニット群の（＋）極と連結され、
前記第２雌スイッチングコネクターの（＋）極端子のうち他の一つは前記第２ファン（ｆａｎ）の（＋）極端子と連結され、
前記第２雌スイッチングコネクターの（−）極端子は前記第２電池ユニット群の（−）極および前記第２ファン（ｆａｎ）の（−）極端子と連結されるものである、請求項７に記載の空気−亜鉛電池アセンブリー。
【請求項１０】
前記第２雌スイッチングコネクターの（−）極端子は前記第２電池ユニット群の（−）極と電気配線によって連結され、
前記第２雌スイッチングコネクターの（−）極端子と前記第２電池ユニット群の（−）極とを連結する電気配線は、前記第２ファン（ｆａｎ）の（−）極端子と小枝の形態で連結されることである、請求項９に記載の空気−亜鉛電池アセンブリー。
【請求項１１】
前記電力引き出しモジュールは、
内部に収容空間が形成され、一面に第２Ｂ結合部が形成された第３ケースと、
前記第３ケースの内部収容空間に設置されるものの、外部電気装置のプラグが接続され得るコンセント部と、
前記第３ケースの内部収容空間に設置されるものの、前記コンセント部と電気的に連結されたインバータ部と、および
前記第２Ａ結合部と前記第２Ｂ結合部とが締結する時、前記第２雌スイッチングコネクターと接続する第２雄スイッチングコネクターと、を含む、請求項３に記載の空気−亜鉛電池アセンブリー。
【請求項１２】
前記第２雄スイッチングコネクターは前記第２雌スイッチングコネクターの端子と接続されるように２個の（＋）極端子および１個の（−）極端子を含むものの、
前記第２雄スイッチングコネクターの２個の（＋）極端子は互いに電気的に連結され、
前記第２雄スイッチングコネクターの（＋）極端子のうち第２ファン（ｆａｎ）の（＋）極端子と連結されている第２雌スイッチングコネクターの（＋）極端子と連結されない（＋）極端子は前記インバータ部の（＋）極と連結され、
前記第２雄スイッチングコネクターの（−）極端子は前記インバータ部の（−）極と連結される、請求項１１に記載の空気−亜鉛電池アセンブリー。
【発明の詳細な説明】
【技術分野】
【０００１】
本発明は、家庭用、産業用、軍用などの多様な用途の電気製品に適用可能な空気−亜鉛電池アセンブリーに関するものである。
【背景技術】
【０００２】
電気機器に電力を供給する手段として電池（ｂａｔｔｅｒｙ）が広く使われている。例えば、電池として、マンガン乾電池、アルカリマンガン乾電池、空気−亜鉛（ｚｉｎｃ−ａｉｒ）電池などの１次電池と、ニッケルカドミウム（Ｎｉ−Ｃｄ）電池、ニッケル水素（Ｎｉ−Ｈ）電池、リチウムイオン電池などの二次電池が使われたことがある。
【０００３】
これらのうち空気−亜鉛電池は、１．４Ｖの相対的に高い電圧を提供し、エネルギー密度が高く、放電容量が大きいという長所がある。また、電池の放電が完了するまでほぼ一定の放電特性を示すため、重金属の含有により使用が抑制されている水銀電池を代替できる乾電池と考えられている。
【０００４】
空気−亜鉛電池は、通常、家庭用、産業用、軍用などの多様な用途の電気製品に適用可能であるようにするために、最小の電池単位である空気−亜鉛電池セルを複数個含むことによって、必要とされる電圧および電流スペックを満足する空気−亜鉛電池モジュールの形態に製品化されており、このような空気−亜鉛電池モジュールには複数の空気−亜鉛電池セルが含まれているため、電池モジュール内のすべての空気−亜鉛電池セルに空気を均一に供給するためにファン（ｆａｎ）装置が必須として含まれる。また、電池モジュール製品を小型化し、製品の寿命をできるだけ長くするためには、このようなファン（ｆａｎ）に電力を供給するための電気配線、電源、およびスイッチング構造も重要な部分に該当する。
【０００５】
一方、冷蔵庫のような大型家電や電気自動車などの場合、駆動のためには大電流が必要であるため、空気−亜鉛電池を適用するためには前記空気−亜鉛電池モジュールを並列に連結して該当製品で必要とする電流スペックを合わせなければならない。
【０００６】
しかし、既存の空気−亜鉛電池製品の場合、製品ごとに要求される電流スペックが多様であるため、適用される製品別に一々該当製品の電流スペックに合う空気−亜鉛電池モジュールまたはアセンブリーを探すか製造しなければならず、一つの空気−亜鉛電池モジュールまたはアセンブリーでは多様な種類の電気製品に汎用的に適用できないという限界がある。
【発明の概要】
【発明が解決しようとする課題】
【０００７】
前記のような問題点を解決するために導き出されたものであって、本発明の一具現例は、一つの空気−亜鉛電池アセンブリーで、要求電流スペックがそれぞれ異なる多様な電気製品に誰でも容易かつ簡便に合わせて適用できる、空気−亜鉛電池アセンブリーを提供することをその目的とする。
【０００８】
本発明が解決しようとする課題は、以上で言及した技術的課題に制限されず、言及されていないさらに他の技術的課題は、下記の記載から本発明が属する技術分野で通常の知識を有する者に明確に理解されるはずである。
【課題を解決するための手段】
【０００９】
本発明の一具現例は、一面に陽刻または陰刻された第１Ａ結合部が形成される第１空気−亜鉛電池モジュール；一面には前記第１Ａ結合部と噛み合って締結可能であるように陽刻または陰刻された第１Ｂ結合部が形成され、他面には陽刻または陰刻された第２Ａ結合部が形成された一つ以上の第２空気−亜鉛電池モジュール；および一面に前記第２Ａ結合部と噛み合って締結可能であるように陽刻または陰刻された第２Ｂ結合部が形成される電力引き出しモジュール；を含む、空気−亜鉛電池アセンブリーを含む。
【００１０】
前記第１Ａ結合部と第２Ａ結合部は同一形状であり、前記第１Ｂ結合部と第２Ｂ結合部は同一形状であり、前記第１Ａ、１Ｂ、２Ａ、および２Ｂ結合部のそれぞれは、前記第１空気−亜鉛電池モジュール、前記第２空気−亜鉛電池モジュール、および前記電力引き出しモジュールの外部面から離隔するほど幅が次第に減少するように形成され得る。
【００１１】
前記第１Ａ結合部の一領域には前記第１空気−亜鉛電池モジュールで発生した電気エネルギーを送出する第１雌スイッチングコネクターが形成され、前記第１Ｂ結合部の一領域には前記第１雌スイッチングコネクターと接続する第１雄スイッチングコネクターが形成され、前記第２Ａ結合部の一領域には前記第１および第２空気−亜鉛電池モジュールで発生した電気エネルギーを送出する第２雌スイッチングコネクターが形成され、前記第２Ｂ結合部の一領域には前記第２雌スイッチングコネクターと接続する第２雄スイッチングコネクターが形成され得る。
【００１２】
前記第１空気−亜鉛電池モジュールは、内部に収容空間が形成され、一面に第１Ａ結合部が形成された第１ケース；前記第１ケースの内部収容空間に設置されるものの、複数個の空気−亜鉛電池セルが連結および積層されて形成される電池ユニットが複数個連結されて形成される第１電池ユニット群；前記第１ケースの内部収容空間に設置されて空気の流動を誘導する第１ファン（ｆａｎ）；および前記第１電池ユニット群および前記第１ファンと電気的に連結される第１雌スイッチングコネクター；を含むことができる。
【００１３】
前記第１雌スイッチングコネクターは、２個の（＋）極端子および１個の（−）極端子を含み、前記第１雌スイッチングコネクターの（＋）極端子のうちいずれか一つは前記第１電池ユニット群の（＋）極と連結され、前記第１雌スイッチングコネクターの（＋）極端子のうち他の一つは前記第１ファン（ｆａｎ）の（＋）極端子と連結され、前記第１雌スイッチングコネクターの（−）極端子は前記第１電池ユニット群の（−）極および前記第１ファン（ｆａｎ）の（−）極端子と連結され得る。
【００１４】
前記第１雌スイッチングコネクターの（−）極端子は前記第１電池ユニット群の（−）極と電気配線によって連結され、前記第１雌スイッチングコネクターの（−）極端子と前記第１電池ユニット群の（−）極を連結する電気配線は前記第１ファン（ｆａｎ）の（−）極端子と小枝の形態で連結され得る。
【００１５】
前記第２空気−亜鉛電池モジュールは、内部に収容空間が形成され、一面には前記第１Ｂ結合部が形成され、他面には前記第２Ａ結合部が形成された第２ケース；前記第２ケースの内部収容空間に設置されるものの、複数個の空気−亜鉛電池セルが連結および積層されて形成される電池ユニットが複数個連結されて形成される第２電池ユニット群；前記第２ケースの内部収容空間に設置されて空気の流動を誘導する第２ファン（ｆａｎ）；前記第１Ａ結合部と前記第１Ｂ結合部とが締結する時、前記第１雌スイッチングコネクターと接続する第１雄スイッチングコネクター；および前記第２電池ユニット群および前記第２ファンと電気的に連結される第２雌スイッチングコネクター；を含むことができる。
【００１６】
前記第１雄スイッチングコネクターは、前記第１雌スイッチングコネクターの端子と接続されるように２個の（＋）極端子および１個の（−）極端子を含むものの、前記第１雄スイッチングコネクターの２個の（＋）極端子は互いに電気的に連結され、前記第１雄スイッチングコネクターの（＋）極端子のうち前記第１ファン（ｆａｎ）の（＋）極端子と連結されている第１雌スイッチングコネクターの（＋）極端子と連結されない（＋）極端子は前記第２電池ユニット群の（＋）極と連結され、前記第１雄スイッチングコネクターの（−）極端子は前記第２電池ユニット群の（−）極および前記第２ファン（ｆａｎ）の（−）極端子と連結され得る。
【００１７】
前記第２雌スイッチングコネクターは２個の（＋）極端子および１個の（−）極端子を含み、前記第２雌スイッチングコネクターの（＋）極端子のうちいずれか一つは前記第２電池ユニット群の（＋）極と連結され、前記第２雌スイッチングコネクターの（＋）極端子のうち他の一つは前記第２ファン（ｆａｎ）の（＋）極端子と連結され、前記第２雌スイッチングコネクターの（−）極端子は前記第２電池ユニット群の（−）極および前記第２ファン（ｆａｎ）の（−）極端子と連結されるものであり得る。
【００１８】
前記第２雌スイッチングコネクターの（−）極端子は前記第２電池ユニット群の（−）極と電気配線によって連結され、前記第２雌スイッチングコネクターの（−）極端子と前記第２電池ユニット群の（−）極とを連結する電気配線は、前記第２ファン（ｆａｎ）の（−）極端子と小枝の形態で連結されるものであり得る。
【００１９】
前記電力引き出しモジュールは、内部に収容空間が形成され、一面に第２Ｂ結合部が形成された第３ケース；前記第３ケースの内部収容空間に設置されるものの、外部電気装置のプラグが接続され得るコンセント部；前記第３ケースの内部収容空間に設置されるものの、前記コンセント部と電気的に連結されたインバータ部；および前記第２Ａ結合部と前記第２Ｂ結合部とが締結する時、前記第２雌スイッチングコネクターと接続する第２雄スイッチングコネクター；を含むことができる。
【００２０】
前記第２雄スイッチングコネクターは、前記第２雌スイッチングコネクターの端子と接続されるように２個の（＋）極端子および１個の（−）極端子を含むものの、前記第２雄スイッチングコネクターの２個の（＋）極端子は互いに電気的に連結され、前記第２雄スイッチングコネクターの（＋）極端子のうち前記第２ファン（ｆａｎ）の（＋）極端子と連結されている第２雌スイッチングコネクターの（＋）極端子と連結されない（＋）極端子は前記インバータ部の（＋）極と連結され、前記第２雄スイッチングコネクターの（−）極端子は前記インバータ部の（−）極と連結され得る。
【発明の効果】
【００２１】
本発明の一具現例に係る空気−亜鉛電池アセンブリーによると、空気−亜鉛電池モジュールを適用しようとする電気製品の要求電流スペックに合わせて容易に積層して使用できるため、一つの空気−亜鉛電池アセンブリーで要求電流スペックがそれぞれ異なる多様な電気製品に容易かつ簡便に合わせて適用することができる効果がある。
【図面の簡単な説明】
【００２２】
【図１】本発明に係る空気−亜鉛電池アセンブリーが結合された形態の一例を示した図面。
【図２】本発明に係る一番目の空気−亜鉛電池モジュールの一例に対する斜視図を示した図面。
【図３】本発明の一番目の空気−亜鉛電池モジュールの一例に関する電気配線の連結構造を図式化した図面。
【図４】本発明に係る２番目〜Ｎ番目の空気−亜鉛電池モジュールの一例に対する斜視図を示した図面。
【図５】本発明の２番目〜Ｎ番目の空気−亜鉛電池モジュールの一例に関する電気配線の連結構造を図式化した図面。
【図６】本発明に係る電力引き出しモジュールの一例に対する斜視図を示した図面。
【図７】本発明の電力引き出しモジュールの一例に関する電気配線の連結構造を図式化した図面。
【図８】本発明の一例に係る空気−亜鉛電池セルを示した図面。
【図９】本発明の一例に係る電池ユニットの斜視図を示した図面。
【図１０】本発明の一例に係る空気−亜鉛電池モジュールのファンの配置構造を図式化した図面。
【図１１】本発明の他の一例に係る空気−亜鉛電池モジュールのファンの配置構造を図式化した図面。
【発明を実施するための形態】
【００２３】
本発明は、多様な変換を加えることができ、様々な実施例を有することができるところ、特定の実施例を図面に例示して詳細な説明で詳細に説明する。しかし、これは本発明を特定の実施形態に対して限定しようとするものではなく、本発明の思想および技術範囲に含まれるすべての変換、均等物乃至代替物を含むものと理解されるべきである。本発明の説明において、関連した公知技術に対する具体的な説明が本発明の要旨を曖昧にする恐れがあると判断される場合、その詳細な説明を省略する。
【００２４】
本出願で使用した用語は、単に特定の実施例を説明するために使用されたものであって、本発明を限定しようとする意図ではない。単数の表現は文脈上明白に異なることを意味しない限り、複数の表現を含む。本出願において、「含む」または「有する」等の用語は、明細書上に記載された特徴、数字、段階、動作、構成要素、部品またはこれらを組み合わせたものが存在することを指定しようとするものであって、一つまたはそれ以上の他の特徴や数字、段階、動作、構成要素、部品またはこれらを組み合わせたものなどの存在または付加可能性をあらかじめ排除しないものと理解されるべきである。
【００２５】
第１、第２等の用語は、多様な構成要素の説明に使用され得るが、前記構成要素は前記用語によって限定されるものではない。前記用語は一つの構成要素を他の構成要素から区別する目的でのみ使用される。
【００２６】
以下、本発明について詳細に説明するものの、必要な場合、図面を参照して説明する。下記の図面は、本発明の理解を助けるためのものに過ぎず、これによって本発明の範囲が制限されるものではない。
【００２７】
本発明の説明に先立って、本発明で使用される用語および構成を定義する。
【００２８】
本発明における空気−亜鉛電池モジュールとは、ケース内に複数の空気−亜鉛電池セルが直列に連結および積層されてなる電池ユニットを複数個含むものの、前記電池ユニットは隣接する電池ユニットと直列に連結されて一つまたは二つ以上の電池ユニット群を形成し、前記ケース内の外部に露出しない一領域に（＋）極端子および（−）極端子を含み、空気の流動を誘導するファン（ｆａｎ）が備えられているものを意味する。
【００２９】
本発明において前記空気−亜鉛電池セルは、本発明の空気−亜鉛電池モジュールをなす最小単位であって、前記空気−亜鉛電池セルの腹部の構造は、一般的に知られているように、空気拡散層、触媒活性層などが含まれた空気正極電極部、亜鉛（Ｚｎ）および電解質が混合された亜鉛ゲル等が含まれた負極電極部および前記空気正極電極部および負極電極部間に短絡を防止するためにセパレータ（ｓｅｐａｒａｔｏｒ）が位置する構造で形成されている。
【００３０】
本発明において、前記空気−亜鉛電池セルの形態はどのような形態でもよいが、空間の効率を考慮して積層構造で電池ユニットを形成するためには、板状の空気−亜鉛電池セルを使用することが構造的に好ましい。
【００３１】
前記空気−亜鉛電池セルの理解を助けるために、図８に図示された一例を通じて説明すると、図８によると、空気−亜鉛電池セル４１０が板状の形態を有しており、前記空気−亜鉛電池セル４１０の空気正極電極部側の面には外部と空気が通じ得るように複数の空気孔４１３が形成されている。
【００３２】
また、前記空気−亜鉛電池セル４１０の空気正極電極部側の面には突起形態のスペーサー４１１が形成されており、前記空気−亜鉛電池セル４１０が積層されて図９に図示されたように電池ユニット４００を形成する場合、積層されるそれぞれの空気−亜鉛電池セル４１０の間に空気が円滑に通じ得る空間を形成するようになり、電池ユニット４００を構成するそれぞれの空気−亜鉛電池セル４１０に空気の供給が円滑に行われ得るだけでなく、本発明の空気−亜鉛電池モジュールのケース内部の空気の流動も円滑に行われ得る。
【００３３】
本発明において前記電池ユニットは、複数の空気−亜鉛電池セルが電気的に直列に連結され、それぞれの空気−亜鉛電池セルが積層される形態の構造を有するものであって、本発明では複数の空気−亜鉛電池セルが直列に連結されて一つの電池ユニットを形成することによって、家庭用、産業用、軍用などの多様な用途の電気製品に適用できるように電圧を上げるのに有利である。図９を例にして説明すると、図９は本発明の一例に係る電池ユニットの斜視図を示したものであって、図９によると、本発明の電池ユニット４００は５個の空気−亜鉛電池セル４１０が直列に連結され、積層構造となっており、それぞれの空気−亜鉛電池セル４１０の電圧が１．３〜１．４Ｖである場合、電池ユニット４００の電圧は６Ｖ以上を確保することができるようになる。
【００３４】
本発明において、単位電池ユニットを構成する空気−亜鉛電池セルの個数は特に限定されず、本発明の空気−亜鉛電池モジュールが使用される用途に応じて単位電池ユニット当たり空気−亜鉛電池セルの個数を任意に定めることができる。
【００３５】
本発明において前記電池ユニット群は、空気−亜鉛電池セルが直列に積層されて形成された電池ユニットがさらに直列に連結されて集合体をなしたものであって、これを通じて、本発明の電池ユニット群はそれぞれの電池ユニットの電圧が加算されて、含んでいる電池ユニットの個数の数だけ高い電圧を確保することができるようになる。本発明の空気−亜鉛電池モジュールには、前記電池ユニット群を一つまたは二つ以上含むことができ、もし二つ以上の電池ユニット群を含むようになる場合には、電池ユニット群の間には電気的に並列に連結されるようにして、適用される電気製品のスペックに合わせて電流値を上昇させることができる。
【００３６】
本発明において前記ファン（ｆａｎ）は、外部の空気の流れを空気−亜鉛電池モジュール内に誘導し、空気−亜鉛電池モジュール内の複数の空気−亜鉛電池セルからなる電池ユニットに空気を均一に供給する役割をするものであって、本発明では、従来の空気−亜鉛電池モジュールとは異なって前記ファン（ｆａｎ）が空気−亜鉛電池モジュールのケース内部に位置しているため、従来の電池モジュールで問題となっていたファン（ｆａｎ）の外部露出に伴う送風ブレードの汚染による送風量の低下およびこれによる電池モジュールの性能低下の問題を防止することができ、また、従来の電池モジュールで問題となっていたファン（ｆａｎ）の騒音発生の問題も最小化できる効果がある。
【００３７】
また、本発明では、空気−亜鉛電池モジュール内に含まれる電池ユニットおよび電池ユニット群の個数と配置形態に応じて、空気−亜鉛電池モジュール内のすべての電池ユニットにできるだけ均一に空気の流れを誘導して空気を供給できるようにするために、電池モジュール内のファン（ｆａｎ）の配置位置や方向などを電池ユニットおよび電池ユニット群の個数と配置形態に応じて適切に設定することが重要である。
【００３８】
たとえば、前記電池ユニットが、電池モジュール内で隣接する電池ユニットと一列に配置されて直列に連結された一つの電池ユニット群を形成する場合には、電池モジュール内のすべての電池ユニットにできるだけ均一に空気の流れを誘導して空気を供給できるようにするために、前記ファン（ｆａｎ）はすべてまたは一部の電池ユニットの間に備えられるものの、前記ファン（ｆａｎ）の方向がブレードの回転軸方向と前記電池ユニットの一列配置方向と同じ方向であることが好ましい。これに対する理解を助けるために、図１０に図示された一例を参照して説明する。
【００３９】
図１０によると、本発明の一例に係る空気−亜鉛電池モジュール１００は、ケース１１０内に２個の電池ユニット１２１、１２２が一列に配置され、直列に連結されて一つの電池ユニット群を形成しており、前記電池ユニット１２１、１２２の間にモジュール内で空気の流れを誘導するためのファン１３０が位置し、前記ファン１３０の方向がブレードの回転軸方向と前記電池ユニット１２１、１２２の一列配置方向と同じ方向となるように方向が設定されている。前記ファン１３０の位置および方向をこのように設定することによって、外部空気を電池モジュール内に誘導する時に電池モジュール内の空気排出部に位置した電池ユニット１２２にまで空気が均一に供給され得る効果がある。もし、前記ファン１３０の位置が、従来の空気−亜鉛電池モジュールのように外部空気が流入するモジュールの入口側に一つのみ備えられる場合には、電池モジュール内の空気排出部に位置した電池ユニット１２２にまで空気を均一に供給することができなくなり、これに伴う電池ユニット間の空気供給の不均衡により電池モジュールの全体の性能低下をもたらしてしまう問題が発生するようになる。
【００４０】
さらに他の例として、本発明の空気−亜鉛電池モジュールのケースの一側面に外部と空気が通じるように空気通孔が形成されており、電池モジュール内の電池ユニットが第１電池ユニット群および第２電池ユニット群からなる２個の電池ユニット群を形成するものの、前記第１電池ユニット群および第２電池ユニット群は隔壁を挟んで並んで配置され、互いに並列に電気配線が連結される構造となっており、前記隔壁が前記空気通孔が形成されているケースの面と垂直になるように形成されている場合には、前記ファン（ｆａｎ）は前記隔壁の一部位に貫通するように形成されているものの、前記第１電池ユニット群および第２電池ユニット群の電池ユニットのうち前記空気通孔が形成されているケースの面から最も遠く離れた電池ユニットの間に位置するように形成され、前記ファン（ｆａｎ）の方向がブレードの回転軸方向と前記隔壁の面が垂直になるように配置されることが電池モジュール内のすべての電池ユニットに均一な空気の供給のために有利である。これに対する理解を助けるために図１１に図示された一例を参照して説明する。
【００４１】
図１１に図示された本発明の一例に係る空気−亜鉛電池モジュール２００は、ケース２１０の一側面に外部空気が電池モジュール内部と通じ得るように空気通孔２１１、２１２が形成されており、空気−亜鉛電池モジュール２００内には合計４個の電池ユニット２２１、２２２、２２３、２２４が備えられているものの、電池モジュール内の中央に前記空気通孔２１１、２１２が形成されているケース２１０の面と垂直になるように形成されている隔壁２４０を挟んで，一側の電池ユニット２２１、２２２２個か互いに直列連結に一列配置されて第１電池ユニット群を形成し、他側の電池ユニット２２３、２２４２個も互いに直列連結に一列配置されて第２電池ユニット群を形成している。図３によると、ファン２３０は前記隔壁２４０の一部位に貫通するように形成されているものの、前記第１電池ユニット群および第２電池ユニット群の電池ユニットのうち前記空気通孔２１１、２１２が形成されているケース２１０の面から最も遠く離れた電池ユニット２２２、２２３の間に位置しており、前記ファン２３０の方向はブレードの回転軸方向と前記隔壁２４０の面が垂直になるように設定されている。これにより、空気−亜鉛電池モジュール内に一つのファン（ｆａｎ）のみを具備しても、図１１に図示された構造によると、外部から流入した空気が一番目の電池ユニット２２１から最後の電池ユニット２２４まで、順次「⊂」状の流れに空気の流れが誘導されて電池モジュールの外部に排出され得るため、電池モジュール内のすべての電池ユニット２２１、２２２、２２３、２２４に均一に空気が供給され得る効果がある。
【００４２】
すなわち、本発明に係るファン（ｆａｎ）の配置構造による場合、同じ性能の電池モジュールを具現するにおいて、既存よりも遥かに低い送風力のファンを使用することができ、これに伴い、ファンの駆動のために必要とされる消費電力を顕著に低減させ得る長所がある。
【００４３】
本発明において前記ファン（ｆａｎ）は、動力源として電気エネルギーを使用するため、電気配線が連結され得るように、（＋）極端子および（−）極端子を含む。
【００４４】
本発明で雌スイッチングコネクターは空気−亜鉛電池モジュールケースの一面の一領域に形成されており、前記雌スイッチングコネクターには２個の（＋）極端子および１個の（−）極端子が形成されている。前記雌スイッチングコネクターの（＋）極端子のうちいずれか一つは前記電池ユニット群の（＋）極側終端の（＋）極と電気配線で連結され、前記雌スイッチングコネクターの（＋）極端子のうち他の一つは前記ファン（ｆａｎ）に形成されている（＋）極端子と電気配線で連結される。
【００４５】
前記雌スイッチングコネクターの（−）極端子は前記電池ユニット群の（−）極側終端の（−）極と電気配線で連結されるものの、前記雌スイッチングコネクターの（−）極端子と連結される電気配線は、空気−亜鉛電池モジュールで発生する電気のうち一部をファン（ｆａｎ）の駆動エネルギーとして使用するために、前記ファン（ｆａｎ）の（−）極端子と小枝の形態で連結されることを特徴とする。すなわち、本発明は電池モジュール内のファン（ｆａｎ）を駆動させるために、別途の重いバッテリ装置が不要であるため、既存の製品に比べて製品の構造の単純化および軽量化が可能な利点がある。
【００４６】
本発明において前記雌スイッチングコネクターは、直下層の空気−亜鉛電池モジュールの電池ユニットまたは電力引き出しモジュールのインバータと電気的に連結されている雄スイッチングコネクターと接続および分離が可能であり、前記雄スイッチングコネクターは前記雌スイッチングコネクターの端子と対応するように２個の（＋）極端子および１個の（−）極端子が形成されているものの、前記雄スイッチングコネクターの（＋）極端子は互いに電気配線で連結されていることを特徴とする。このような構造的な特徴により、前記雌スイッチングコネクターに前記雄スイッチングコネクターを接続するようになると、電池ユニットの通電が起きると共に前記ファン（ｆａｎ）が電気的に電池ユニットに連結されるようになって前記ファン（ｆａｎ）が駆動され、前記雄スイッチングコネクターを分離するようになると、電池ユニットの通電およびファン（ｆａｎ）の駆動を停止することができるようになる。すなわち、本発明に係る空気−亜鉛電池モジュールは、ファン（ｆａｎ）の駆動および停止のために既存の電池モジュール製品のように別途のスイッチング装置を具備する必要がなく、これに伴い、電池モジュール内の空間の効率が改善されて製品の小型化が可能であり、電気配線の単純化および製造単価の削減が可能であり、さらに、ファン（ｆａｎ）の駆動制御がスイッチングコネクターを接続および分離するだけで同時に行われるので、既存の製品のように、誤ってファンの駆動をｏｆｆにせず、不要に放電させてしまうことによって電池モジュールの寿命を短縮させてしまう恐れも未然に防止できる効果がある。
【００４７】
本発明は空気−亜鉛電池アセンブリーに関するものであって、より具体的には、Ｎ子の空気−亜鉛電池モジュールが電力引き出しモジュール上に順次積層可能な構造を有し、上から一番目の空気−亜鉛電池モジュールは、下部面に直下層に積層される空気−亜鉛電池モジュールまたは電力引き出しモジュールの上部面に形成されている陽刻結合部が挿入されて結合され得る陰刻結合部が形成されており、上から２番目〜Ｎ番目の空気−亜鉛電池モジュールは、それぞれ上部面に直上層に積層される空気−亜鉛電池モジュールの下部面に形成されている陰刻結合部に挿入されて結合され得る陽刻結合部が形成されており、下部面には直下層に積層される空気−亜鉛電池モジュールまたは電力引き出しモジュールの上部面に形成されている陽刻結合部が挿入されて結合され得る陰刻結合部が形成されており、前記電力引き出しモジュールは上部面に直上層に積層される空気−亜鉛電池モジュールの下部面に形成されている陰刻結合部に挿入されて結合され得る陽刻結合部が形成されている、空気−亜鉛電池アセンブリーに関するものである。
【００４８】
本発明の空気−亜鉛電池アセンブリーに対する理解を助けるために図１に図示された一例を参照して説明する。
【００４９】
図１は本発明に係る空気−亜鉛電池アセンブリーが結合された形態の一例を図示したものであって、図１によると、本発明の空気−亜鉛電池アセンブリーは、２個の空気−亜鉛電池モジュール１０、２０が電力引き出しモジュール３０上に積層されて結合されている構造となっており、一番目の空気−亜鉛電池モジュール１０の下部面に陰刻形状に形成されている陰刻結合部１２に、二番目の空気−亜鉛電池モジュール２０の上部面に陽刻形状に突出形成されている陽刻結合部２２が挿入されて、一番目の空気−亜鉛電池モジュール１０と２番目の空気−亜鉛電池モジュール２０とが互いに結合される。また、図１によると、２番目の空気−亜鉛電池モジュール２０の下部面に陰刻形状に形成されている陰刻結合部２３に電力引き出しモジュール３０の上部面に形成されている陽刻形状の陽刻結合部３２が挿入されて、２番目の空気−亜鉛電池モジュール２０と電力引き出しモジュール３０とが互いに結合される構造となっている。
【００５０】
前記一番目の空気−亜鉛電池モジュールについて、図２および図３を参照して詳細に説明する。
【００５１】
図２によると、前記一番目の空気−亜鉛電池モジュール１０はケース１１の下部面の一領域に陰刻結合部１２が形成されており、前記ケースの下部面の一領域には電極端子３４１、３４２、３４３が形成されている。前記ケース１１の形状は特に制限されず、直六面体状、円筒状などの多様な形状が適用され得る。前記陰刻結合部１２の形状は陰刻構造であればいかなる陰刻構造も適用可能であり、前記電極端子３４１、３４２、３４３の形状および位置もケース１１の下部面の一領域に露出する形状および位置であればいかなる形状および位置でもよい。図２に図示された一例では、前記電極端子３４１、３４２、３４３がバー（ｂａｒ）の形状にケース１１の下部面のうち陰刻結合部１２が位置する部位に露出するように形成されている。
【００５２】
前記一番目の空気−亜鉛電池モジュールの内部構造について説明すると、前記一番目の空気−亜鉛電池モジュールは、ケース内に複数の空気−亜鉛電池セルが直列に連結および積層されてなる電池ユニットを複数個含むものの、前記電池ユニットは、隣接する電池ユニットと直列に連結されて一つまたは二つ以上の電池ユニット群を形成し、前記ケース内の外部に露出しない一領域に（＋）極端子および（−）極端子を含み、空気の流動を誘導するファン（ｆａｎ）が備えられ、前記ケースの下部面の一領域には２個の（＋）極端子および１個の（−）極端子が形成されており、直下層に積層される空気−亜鉛電池モジュールまたは電力引き出しモジュールの雄スイッチングコネクターと接続可能な雌スイッチングコネクターが形成されており、前記雌スイッチングコネクターの（＋）極端子のうちいずれか一つは前記電池ユニット群の（＋）極側終端の（＋）極と電気配線で連結され、前記雌スイッチングコネクターの（＋）極端子のうち他の一つは前記ファン（ｆａｎ）の（＋）極端子と電気配線で連結され、前記雌スイッチングコネクターの（−）極端子は前記電池ユニット群の（−）極側終端の（−）極と電気配線で連結されるものの、前記雌スイッチングコネクターの（−）極端子と連結される電気配線は前記ファン（ｆａｎ）の（−）極端子と小枝の形態で連結されることを特徴とする。
【００５３】
前記一番目の空気−亜鉛電池モジュールの内部電気配線構造の理解を助けるために、図３に図示された一例を通じて説明する。図３は、本発明の一番目の空気−亜鉛電池モジュールの一例（合計４個の電池ユニットを含む）に関する電気配線の連結構造を図式化したものであって、図３によると、第１電池ユニット群３２１、３２２と第２電池ユニット群３２３、３２４は互いに電気配線が並列に連結されており、前記電池ユニット群の（＋）極側終端の（＋）極は、ケース１１の下部面のうち陰刻結合部１２が位置する部位に電極端子３４１、３４２、３４３が露出するようにケース内に位置する雌スイッチングコネクター３４０の２個の（＋）極端子のうち一つ３４３と電気配線で連結され、前記電池ユニット群の（−）極側終端の（−）極は雌スイッチングコネクター３４０に形成されている１個の（−）極端子３４１と電気配線で連結される。また、ファン３３０に形成されている（＋）極端子は、雌スイッチングコネクター３４０に形成されている２個の（＋）極端子のうち残り３４２と電気配線で連結され、ファン３３０に形成されている（−）極端子は、前記雌スイッチングコネクター３４０の（−）極端子と連結される電気配線から小枝の形態で連結されている。
【００５４】
前記２番目〜Ｎ番目の空気−亜鉛電池モジュールについて図４および図５を参照して詳細に説明する。
【００５５】
図４によると、前記２番目〜Ｎ番目の空気−亜鉛電池モジュール２０は、ケース２１の上部面の一領域に陽刻結合部２２が形成されており、前記ケースの上部面の一領域には電極端子３５１、３５２、３５３が形成されている。また、ケース２１の下部面の一領域には陰刻結合部２３が形成されており、前記ケースの下部面の一領域には電極端子３４１、３４２、３４３が形成されている。前記ケース２１の形状は特に制限されず、直六面体状、円筒状などの多様な形状が適用され得る。前記陽刻結合部２２の形状は陽刻構造になっていればいかなる陽刻構造でも適用可能であり、前記陰刻結合部２３の形状は陰刻構造になっていればいかなる陰刻構造も適用可能であり、前記陽刻結合部２２と陰刻結合部２３は、直上または直下に積層される空気−亜鉛電池モジュールまたは電力引き出しモジュールの陽刻結合部または陰刻結合部と挿入時に固定および締結され得るように、互いに対応する形状であることが好ましい。
【００５６】
前記上部面に形成されている電極端子３５１、３５２、３５３の形状および位置は、ケース２１の上部面の一領域に露出する形状および位置であればいかなる形状および位置でも可能であるが、直上層に積層される空気−亜鉛電池モジュールの下部面に形成されている電極端子と接触され得る位置に位置することが好ましい。図４に図示された一例では、前記電極端子３５１、３５２、３５３がバー（ｂａｒ）の形状にケース２１の上部面のうち陽刻結合部２２が位置する部位に露出するように形成されている。
【００５７】
また、前記下部面に形成されている電極端子３４１、３４２、３４３の形状および位置も、ケース２１の下部面の一領域に露出する形状および位置であればいかなる形状および位置でも可能であるが、直下層に積層される空気−亜鉛電池モジュールまたは電力引き出しモジュールの上部面に形成されている電極端子と接触され得る位置に位置することが好ましい。図４に図示された一例では、前記電極端子３４１、３４２、３４３がバー（ｂａｒ）の形状にケース２１の下部面のうち陰刻結合部２３が位置する部位に露出するように形成されている。
【００５８】
前記２番目〜Ｎ番目の空気−亜鉛電池モジュールの内部構造について説明すると、前記２番目〜Ｎ番目の空気−亜鉛電池モジュールは、ケース内に複数の空気−亜鉛電池セルが直列に連結および積層されてなる電池ユニットを複数個含むものの、前記電池ユニットは隣接する電池ユニットと直列に連結されて一つまたは二つ以上の電池ユニット群を形成し、前記ケース内の外部に露出しない一領域に（＋）極端子および（−）極端子を含み、空気の流動を誘導するファン（ｆａｎ）が備えられ、前記ケースの上部面の一領域には直上層に積層される空気−亜鉛電池モジュールの雌スイッチングコネクターと接続可能であるように、雄スイッチングコネクターが形成されており、前記雄スイッチングコネクターは直上層に積層される空気−亜鉛電池モジュールの雌スイッチングコネクターの端子と対応するように、２個の（＋）極端子および１個の（−）極端子が形成されているものの、前記雄スイッチングコネクターの（＋）極端子は互いに電気配線で連結されており、前記雄スイッチングコネクターの（＋）極端子のうち直上層に積層される空気−亜鉛電池モジュールのファンの（＋）極端子と連結されている雌スイッチングコネクターの（＋）極端子と連結されない（＋）極端子は、前記電池ユニット群の（＋）極側終端の（＋）極と電気配線で連結され、前記雄スイッチングコネクターの（−）極端子は、前記電池ユニット群の（−）極側終端の（−）極と電気配線で連結され、前記直上層に積層される空気−亜鉛電池モジュールの雌スイッチングコネクターに前記雄スイッチングコネクターを接続する時に、前記直上層に積層される空気−亜鉛電池モジュールの電池ユニットが通電されると共にファン（ｆａｎ）が駆動され、前記雄スイッチングコネクターを分離する時に、前記直上層に積層される空気−亜鉛電池モジュールの電池ユニットの通電およびファン（ｆａｎ）の駆動が停止し、前記ケースの下部面の一領域には２個の（＋）極端子および１個の（−）極端子が形成されており、直下層に積層される空気−亜鉛電池モジュールまたは電力引き出しモジュールの雄スイッチングコネクターと接続可能な雌スイッチングコネクターが形成されており、前記雌スイッチングコネクターの（＋）極端子のうちいずれか一つは前記電池ユニット群の（＋）極側終端の（＋）極と電気配線で連結され、前記雌スイッチングコネクターの（＋）極端子のうち他の一つは前記ファン（ｆａｎ）の（＋）極端子と電気配線で連結され、前記雌スイッチングコネクターの（−）極端子は前記電池ユニット群の（−）極側終端の（−）極と電気配線で連結されるものの、前記雌スイッチングコネクターの（−）極端子と連結される電気配線は前記ファン（ｆａｎ）の（−）極端子と小枝の形態で連結されることを特徴とする。
【００５９】
前記２番目〜Ｎ番目の空気−亜鉛電池モジュールの内部電気配線構造の理解を助けるために、図５に図示された一例を通じて説明する。図５は、本発明の２番目〜Ｎ番目の空気−亜鉛電池モジュールの一例（合計４個の電池ユニットを含む）に関する電気配線の連結構造を図式化したものであって、図５によると、第１電池ユニット群３２１、３２２と第２電池ユニット群３２３、３２４は互いに電気配線が並列に連結されており、前記電池ユニット群の（＋）極側終端の（＋）極は、ケース２１の下部面のうち陰刻結合部２３が位置する部位に電極端子３４１、３４２、３４３が露出するようにケース内に位置する雌スイッチングコネクター３４０の２個の（＋）極端子のうち一つ３４３と電気配線で連結され、前記電池ユニット群の（−）極側終端の（−）極は雌スイッチングコネクター３４０に形成されている１個の（−）極端子３４１と電気配線で連結される。また、ファン３３０に形成されている（＋）極端子は、雌スイッチングコネクター３４０に形成されている２個の（＋）極端子のうち残り３４２と電気配線で連結され、ファン３３０に形成されている（−）極端子は前記雌スイッチングコネクター３４０の（−）極端子と連結される電気配線から小枝の形態で連結されている。
【００６０】
また、図５には、２番目〜Ｎ番目の空気−亜鉛電池モジュールのケース２１の上部面のうち陽刻結合部２２が位置する部位に、電極端子３５１、３５２、３５３が露出するようにケース内に位置し、直上層に積層される空気−亜鉛電池モジュールの雌スイッチングコネクターと接続可能な雄スイッチングコネクター３５０が図示されており、前記雄スイッチングコネクター３５０は直上層に積層される空気−亜鉛電池モジュールの雌スイッチングコネクターと対応するように、２個の（＋）極端子３５２、３５３と１個の（−）極端子３５１が形成されており、特に前記雄スイッチングコネクター３５０の２個の（＋）極端子３５２、３５３は互いに電気配線で連結されており、前記雄スイッチングコネクターの（＋）極端子のうち直上層に積層される空気−亜鉛電池モジュールのファンの（＋）極端子と連結されている雌スイッチングコネクターの（＋）極端子と連結されない（＋）極端子３５３は、前記電池ユニット群の（＋）極側終端の（＋）極と電気配線で連結され、前記雄スイッチングコネクターの（−）極端子３５１は前記電池ユニット群の（−）極側終端の（−）極と電気配線で連結されている。
【００６１】
前記電力引き出しモジュールについて図６および図７を参照して詳細に説明する。
【００６２】
図６によると、前記電力引き出しモジュール３０は、ケース３１の上部面の一領域に陽刻結合部３２が形成されており、前記ケースの上部面の一領域には電極端子３５１、３５２、３５３が形成されている。また、ケース２１の一側面には外部の電気装置のプラグが接続可能であるようにコンセント３３が外部に露出形成されている。
【００６３】
本発明の電力引き出しモジュールにおいて、ケース３１の形状は特に制限されず、直六面体状、円筒状などの多様な形状が適用され得る。前記陽刻結合部３２の形状は陽刻構造になっていればいかなる陽刻構造でも適用可能であり、前記陽刻結合部２２は直上層に積層される空気−亜鉛電池モジュールの陰刻結合部と挿入時に固定および締結され得るように、互いに対応する形状であることが好ましい。
【００６４】
前記上部面に形成されている電極端子３５１、３５２、３５３の形状および位置は、ケース３１の上部面の一領域に露出する形状および位置であればいかなる形状および位置でも可能であるが、直上層に積層される空気−亜鉛電池モジュールの下部面に形成されている電極端子と接触され得る位置に位置することが好ましい。図６に図示された一例では、前記電極端子３５１、３５２、３５３がバー（ｂａｒ）の形状に電力引き出しモジュールのケース３１の上部面のうち陽刻結合部３２が位置する部位に露出するように形成されている。
【００６５】
前記電力引き出しモジュールの内部構造について説明すると、ケース内にインバータ部およびコンセント部を含み、ケースの上部面の一領域に直上層に積層される空気−亜鉛電池モジュールの雌スイッチングコネクターと接続可能であるように雄スイッチングコネクターが形成されており、前記雄スイッチングコネクターは直上層に積層される空気−亜鉛電池モジュールの雌スイッチングコネクターの端子と対応するように、２個の（＋）極端子および１個の（−）極端子が形成されているものの、前記雄スイッチングコネクターの（＋）極端子は互いに電気配線で連結されており、前記雄スイッチングコネクターの（＋）極端子のうち直上層に積層される空気−亜鉛電池モジュールのファンの（＋）極端子と連結されている雌スイッチングコネクターの（＋）極端子と連結されない（＋）極端子は、前記インバータ部の（＋）極端子と電気配線で連結され、前記雄スイッチングコネクターの（−）極端子は前記インバータ部の（−）極端子と電気配線で連結され、前記直上層に積層される空気−亜鉛電池モジュールの雌スイッチングコネクターに前記雄スイッチングコネクターを接続時に前記直上層に積層される空気−亜鉛電池モジュールの電池ユニットが通電されると共にファン（ｆａｎ）が駆動され、前記雄スイッチングコネクターを分離時に前記直上層に積層される空気−亜鉛電池モジュールの電池ユニットの通電およびファン（ｆａｎ）の駆動が停止し、前記インバータ部は外部電気装置のプラグが接続され得るコンセント部と電気的に連結されていることを特徴とする。
【００６６】
前記電力引き出しモジュールの内部電気配線構造の理解を助けるために、図７に図示された一例を通じて説明する。図７は本発明の電力引き出しモジュールの一例に関する電気配線の連結構造を図式化したものであって、図７によると、電力引き出しモジュール３０のケース３１の上部面のうち陽刻結合部３２が位置する部位に電極端子３５１、３５２、３５３が露出するようにケース内に位置し、直上層に積層される空気−亜鉛電池モジュールの雌スイッチングコネクターと接続可能な雄スイッチングコネクター３５０が図示されており、前記雄スイッチングコネクター３５０は直上層に積層される空気−亜鉛電池モジュールの雌スイッチングコネクターと対応するように、２個の（＋）極端子３５２、３５３と１個の（−）極端子３５１が形成されており、特に前記雄スイッチングコネクター３５０の２個の（＋）極端子３５２、３５３は互いに電気配線で連結されており、前記雄スイッチングコネクターの（＋）極端子のうち直上層に積層される空気−亜鉛電池モジュールのファンの（＋）極端子と連結されている雌スイッチングコネクターの（＋）極端子と連結されない（＋）極端子３５３は、インバータ部３５の（＋）極と電気配線で連結され、前記雄スイッチングコネクターの（−）極端子３５１は前記インバータ部３５の（−）極と電気配線で連結されている。
【００６７】
また、図７によると、前記電力引き出しモジュール３０のインバータ部３５は、コンセント３３が形成されているコンセント部３４と電気的に連結されているので、外部電気装置のプラグが前記コンセント３３に接続するようになると、本発明の空気−亜鉛電池アセンブリーで発生する電気エネルギーが外部電気装置に供給され得るようになる。
【００６８】
本発明の空気−亜鉛電池アセンブリーによると、空気−亜鉛電池モジュールを適用しようとする電気製品の要求電流スペックに合わせて容易に積層して使用できるため、一つの空気−亜鉛電池アセンブリーで要求電流スペックがそれぞれ異なる多様な電気製品に容易かつ簡便に合わせて適用できる効果がある。
【００６９】
以上で説明した通り、本発明が属する技術分野の当業者は、本発明がその技術的思想や必須特徴を変更することなく他の具体的な形態で実施され得るということが理解できるはずである。本発明の範囲は、前記詳細な説明よりは後述する特許請求の範囲によって示され、特許請求の範囲の意味および範囲、そしてその等価概念から導き出されるすべての変更または変形された形態は、本発明の範囲に含まれると解釈されるべきである。
【図１】
2018534736.tif 000003
【図２】
2018534736.tif 000004
【図３】
2018534736.tif 000005
【図４】
2018534736.tif 000006
【図５】
2018534736.tif 000007
【図６】
2018534736.tif 000008
【図７】
2018534736.tif 000009
【図８】
2018534736.tif 000010
【図９】
2018534736.tif 000011
【図１０】
2018534736.tif 000012
【図１１】
2018534736.tif 000013
【国際調査報告】
2018534736.tif 000014
2018534736.tif 000015
2018534736.tif 000016
2018534736.tif 000017